(57)【要約】【課題】移動携帯端末が発する電波により誤動作する恐れのある医療機器の装着者が公共交通機関に乗車する前に、移動携帯端末の利用者に確実に警告する警告通知システムを得ること。【解決手段】信号発生機１は、医療機器に影響を与えることのない無線帯域を使用して行き先情報を送信し、信号検知機２は、行き先情報に基づいてペースメーカー装着者が乗車することを通知すべきエリアを決定して、決定したエリアを通信エリア内に有する移動元基地局３ｂおよび移動先基地局３ｃに基地局ＩＤと行き先情報を含む検知情報を送信し、移動元基地局３ｂおよび移動先基地局３ｃは、検知情報に含まれる基地局ＩＤと自基地局ＩＤとが一致した場合、ユーザー情報に基づいて移動携帯端末６ａ，６ｂに警告表示情報を送信し、移動携帯端末６ａ，６ｂは、メッセージを表示する。【選択図】      図１
2004312591.tif 000002
【特許請求の範囲】
【請求項１】
公共交通機関内において複数の基地局を介して通信を行う移動携帯端末が発する移動携帯端末用電波による医療機器の事故を防止する警告通知システムであって、
前記医療機器の装着者の行き先および経路を示す行き先情報を送信する信号発生機と、
前記行き先情報に基づいて、ペースメーカー装着者が乗車することを通知すべきエリアを決定して、決定したエリアを通信エリア内に有する１または複数の基地局に対して各基地局を識別するために付与されている基地局ＩＤと前記行き先情報を含む検知情報を送信する信号検知機と、
前記検知情報に含まれる基地局ＩＤと自基地局ＩＤとが一致した場合、予め記憶されている通信エリア内の移動携帯端末のユーザー情報に基づいて、前記通信エリア内の移動携帯端末に警告表示情報を送信する基地局と、
前記警告表示情報を受信した場合、所定の警告処理を行う移動携帯端末と、
を備えることを特徴とする警告通知システム。
【請求項２】
前記信号発生機は、
前記医療機器装着者が前記行き先情報を入力するためのユーザー入力インターフェース部と、
前記行き先情報を移動携帯端末用電波とは異なる前記医療機器の機能に影響を与えることのない信号検知機用電波をもって送信する信号検知機用無線送信部と、
を備えることを特徴とする請求項１に記載の警告通知システム。
【請求項３】
前記信号検知機は、
前記公共交通機関の経路沿いの各基地局の通信エリアおよび基地局ＩＤを記憶する行き先情報記憶部と、
前記信号発生機から送信された信号検知機用電波により行き先情報を受信する信号発生機用無線受信部と、
前記行き先情報記憶部に記憶されている各基地局の中から、前記受信した行き先情報に基づいて、警告すべき通信エリアを有する基地局を決定する行き先情報解析部と、
前記決定した基地局の基地局ＩＤと前記行き先情報を含む検知情報を生成する行き先情報変換部と、
前記検知情報を前記基地局に移動携帯端末用電波をもって送信する基地局用無線送信部と、
を備えることを特徴とする請求項２に記載の警告通知システム。
【請求項４】
前記移動携帯端末は、
前記所定の警告処理の後、所定の時間が経過しても電源がオフになっていない場合には、電源をオフにすることを特徴とする請求項１〜３の何れか一つに記載の警告通知システム。
【請求項５】
公共交通機関内において複数の基地局を介して通信を行う移動携帯端末が発する移動携帯端末用電波による医療機器の事故を防止する警告通知システムであって、
前記医療機器の装着者の行き先および経路である行き先情報を予め記憶している情報カードと、
前記情報カードの行き先情報を識別して、ペースメーカー装着者が乗車することを通知すべきエリアを決定して、決定したエリアを通信エリア内に有する１または複数の基地局に対して各基地局を識別するために付与されている基地局ＩＤと前記行き先情報を含む検知情報を生成する検知機と、
前記検知情報を前記基地局に移動携帯端末用電波をもって送信する信号送信機と、
前記検知情報に含まれる基地局ＩＤと自基地局ＩＤとが一致した場合、予め記憶されている通信エリア内の移動携帯端末のユーザー情報に基づいて、前記通信エリア内の移動携帯端末に警告表示情報を送信する基地局と、
前記警告表示情報を受信した場合、所定の警告処理を行う移動携帯端末と、
を備えることを特徴とする警告通知システム。
【請求項６】
前記検知機は、
前記公共交通機関の経路沿いの各基地局の通信エリアおよび基地局ＩＤを記憶する行き先情報記憶部と、
前記行き先情報記憶部に記憶されている各基地局の中から、前記受信した行き先情報に基づいて、警告すべき通信エリアを有する基地局を決定する行き先情報解析部と、
前記決定した基地局の基地局ＩＤと前記行き先情報を含む検知情報を生成する行き先情報変換部と、
を備えることを特徴とする請求項６に記載の警告通知システム。
【請求項７】
前記移動携帯端末は、
前記所定の警告処理の後、所定の時間が経過しても電源がオフになっていない場合には、電源をオフにすることを特徴とする請求項５または６に記載の警告通知システム。
【請求項８】
公共交通機関内において複数の基地局を介して通信を行う移動携帯端末が発する移動携帯端末用電波により影響を受ける医療機器装着者が所持する信号発生機であって、
前記医療機器装着者が行き先および経路を示す行き先情報を入力するためのユーザー入力インターフェース部と、
前記行き先情報を移動携帯端末用電波とは異なる前記医療機器の機能に影響を与えることのない信号検知機用電波をもって送信する信号検知機用無線送信部と、
を備えることを特徴とする信号発生機。
【請求項９】
公共交通機関内において複数の基地局を介して通信を行う移動携帯端末が発する移動携帯端末用電波により影響を受ける医療機器装着者が保持する信号発生機から送信された行き先および経路を示す行き先情報を前記基地局に通知する信号検知機であって、
前記公共交通機関の経路沿いの各基地局の通信エリアおよび基地局ＩＤを記憶する行き先情報記憶部と、
前記信号発生機から移動携帯端末用電波とは異なる前記医療機器の機能に影響を与えることのない信号検知機用電波をもって送信された行き先情報を受信する信号発生機用無線受信部と、
前記行き先情報記憶部に記憶されている各基地局の中から、前記受信した行き先情報に基づいて、警告すべき通信エリアを有する基地局を決定する行き先情報解析部と、
前記決定した基地局の基地局ＩＤと前記行き先情報を含む検知情報を生成する行き先情報変換部と、
前記検知情報を前記基地局に移動携帯端末用電波をもって送信する基地局用無線送信部と、
を備えることを特徴とする信号検知機。
【発明の詳細な説明】
【０００１】
【発明の属する技術分野】
本発明は、携帯移動端末が発する電波による医療機器の事故を防止する警告通知システム、信号発生機および信号検知機に関するものであり、特に、公共交通機関における事故を防止する警告通知システム、信号発生機および信号検知機に関するものである。
【０００２】
【従来の技術】
近年の携帯移動端末、特に、携帯電話の普及は目覚しいもので、携帯電話とＰＨＳ（Ｐｅｒｓｏｎａｌ  Ｈａｎｄｙｐｈｏｎｅ  Ｓｙｓｔｅｍ）をあわせると、アナログ固定電話およびＩＳＤＮ（Ｉｎｔｅｇｒａｔｅｄ  Ｓｅｒｖｉｃｅ  Ｄｉｇｉｔａｌ  Ｎｅｔｗｏｒｋ）の契約数を越える勢いになっている。携帯電話はＰＨＳといった移動体通信の普及に伴い、以前は電波が届かずに通話できなかった地下通路などにもアンテナが設置され、通話エリアも増えている。さらに、携帯電話（以後ＰＨＳを含み携帯電話とする）の機能も、通話だけでなく、メールの送受信やインターネットに接続して情報収集などに使用され、利用頻度も増加している。
【０００３】
数年前までは、電車内での話し声がうるさいといった問題で済んでいたが、最近は公衆のマナーの問題では済まなくなってきている。ペースメーカー等の医療機器に対する影響である。高齢社会になり、ペースメーカーを使用している人口も年々増えている。ペースメーカーは、不整脈など心臓に何らかの欠陥がある場合に、リードを通じて心室、心房に電子回路から刺激を与え、自己心拍を補っている。固定レートで刺激を与えるものから、鼓動をセンシングして自己心拍が抜けた分だけを補うものなどがある。電磁干渉（ＥＭＩ：ＥｌｅｃｔｒｏＭａｇｎｅｔｉｃ  Ｉｎｔｅｒｆｅｒｅｎｃｅ）について考慮はされているが、体内に埋め込む医療機器であるため、シールドに限界がある。このため、ペースメーカー利用者の近くで強い磁場を発生させる携帯電話を使用した場合、ペースメーカーが誤動作する恐れがある。例えば、ペーシングパルスの抑制（心臓への刺激を行わなくなる）や非同期ペーシング（心臓の自発興奮があった場合も刺激を出し続ける）などが起こると、ペースメーカー利用者は気分不良やめまいなどの症状を引き起こすだけでなく、人命を落とす危険にさらされる。そのため、電車などの公共交通機関では、車内放送を行ったり、車両内や駅構内に張り紙をするなどして、公共交通機関内では携帯電話の電源を切るように奨励している。しかし、携帯電話の利用者は、携帯電話を使用する際に、近くにペースメーカー利用者がいるかを知る手段がなく、自分が使用している携帯電話がペースメーカー利用者の人命を奪う危険性があることなどと考えることもなく、携帯電話を利用している。また、ペースメーカー利用者も、携帯電話によってペースメーカーが誤動作するのではという不安を常にかかえている。
【０００４】
このような問題を改善する第１の従来技術では、携帯電話と通信を行う車内アンテナと、車輛外の基地局と通信を行う社外アンテナと、携帯電話が車輛外部の携帯電話と通信を行う場合に車内アンテナと社外アンテナとを介して通信するように制御する制御機器とで構成される車内基地局を備える車輛を携帯電話使用可能な車輛とし、他の車輛には、マナー違反を犯す人がいる場合の対策として、妨害電波発信装置が電波を発生して強制的に携帯電話を使用できないようにしている（たとえば、特許文献１参照）。
【０００５】
また、第２の従来技術では、公共交通機関に対して使用する前提ではないが、利用者が携帯する携帯型規制基地局が、微弱電波の強さを制御して適切な規制エリアを形成し、規制エリア内の携帯電話の電源オフ、発着呼の禁止、着信音の音量最小化、留守モード起動などの制御を行うようにしている（たとえば、特許文献２参照）。
【０００６】
さらに、第３の従来技術では、ペースメーカー利用者が予め定められた周波数の無線信号を連続的に出力する信号発生機を所持し、携帯電話内のレベル判定器が信号発生機から出力された無線信号のレベルを判定して、予め定められた閾値より大きい場合に警告装置がアラーム音などによって携帯電話保持者に警告するとともに、電源制御装置により携帯電話の電源を切るようにしている（たとえば、特許文献３参照）。
【０００７】
【特許文献１】
特開２００２−０８４２２６号公報
【特許文献２】
特開２００１−０４４９１８号公報
【特許文献３】
特開２００２−１０１０３８号公報
【０００８】
【発明が解決しようとする課題】
しかしながら、第１の従来技術では、ペースメーカー利用者は、必ず携帯電話規制装置が設置されている車輛に乗らなければならないという問題があった。また、携帯電話規制装置が発生する電波そのものがペースメーカーに影響を与える可能性があるという問題があった。
【０００９】
また、第２の従来技術では、適切な規制エリアを形成するために携帯型規制基地局の微弱電波の強さを、第３の従来技術では、携帯電話のレベル判定器の閾値を調整しなければならない。しかし、微弱電波や無線信号は気象条件（雨天など）などの使用環境によって届く範囲が変わるため、ペースメーカーの誤動作を防ぐ安全な距離を確実に確保するための調整が難しいという問題があった。
【００１０】
この発明は上記に鑑みてなされたもので、移動携帯端末が発する電波により誤動作する恐れのある医療機器の装着者が公共交通機関に乗車することを医療機器の装着者が乗車する前に、移動携帯端末の利用者に確実に警告する警告通知システム、信号発生機および信号検知機を得ることを目的としている。
【００１１】
【課題を解決するための手段】
上記目的を達成するために、この発明にかかる警告通知システムは、公共交通機関内において複数の基地局を介して通信を行う移動携帯端末が発する移動携帯端末用電波による医療機器の事故を防止する警告通知システムであって、前記医療機器の装着者の行き先および経路を示す行き先情報を送信する信号発生機と、前記行き先情報に基づいて、ペースメーカー装着者が乗車することを通知すべきエリアを決定して、決定したエリアを通信エリア内に有する１または複数の基地局に対して各基地局を識別するために付与されている基地局ＩＤと前記行き先情報を含む検知情報を送信する信号検知機と、前記検知情報に含まれる基地局ＩＤと自基地局ＩＤとが一致した場合、予め記憶されている通信エリア内の移動携帯端末のユーザー情報に基づいて、前記通信エリア内の移動携帯端末に警告表示情報を送信する基地局と、前記警告表示情報を受信した場合、所定の警告処理を行う移動携帯端末とを備えることを特徴とする。
【００１２】
この発明によれば、信号発生機は、医療機器の装着者の行き先および経路を示す行き先情報を送信し、信号検知機は、行き先情報に基づいて、ペースメーカー装着者が乗車することを通知すべきエリアを決定して、決定したエリアを通信エリア内に有する１または複数の基地局に対して各基地局を識別するために付与されている基地局ＩＤと行き先情報を含む検知情報を送信し、基地局は、検知情報に含まれる基地局ＩＤと自基地局ＩＤとが一致した場合、予め記憶されている通信エリア内の移動携帯端末のユーザー情報に基づいて、通信エリア内の移動携帯端末に警告表示情報を送信し、移動携帯端末は、警告表示情報を受信した場合、所定の警告処理を行うようにしている。
【００１３】
【発明の実施の形態】
以下に添付図面を参照して、この発明にかかる警告通知システムの好適な実施の形態を詳細に説明する。
【００１４】
実施の形態１．
図１〜図５を用いて本発明の実施の形態１を説明する。図１は、この発明における実施の形態１の警告通知システムの構成を示す概念図である。この発明における実施の形態１の警告通知システムは、ペースメーカー装着者が保持する信号発生機１と、信号検知機２と、複数の基地局（この場合は、在圏基地局３ａと移動元基地局３ｂと移動先基地局３ｃの３つ）を制御する基地局制御装置４と、電車やバスなどの公共交通機関５と、公共交通機関５内の移動携帯端末６ｂと、移動先基地局３ｃの通信エリア内の移動携帯端末６ｂとを備えている。
【００１５】
在圏基地局３ａの通信エリア内には信号発生機１を所持したペースメーカー装着者がおり、移動元基地局３ｂの通信エリア内にはペースメーカー装着者がこれから乗車しようとする公共交通機関５が位置している。そして、移動先基地局３ｃは、信号発生機１を所持したペースメーカー装着者の公共交通機関５に乗車して行こうとしている場所を通信エリア内に有している。また、在圏基地局３ａ、移動元基地局３ｂおよび移動先基地局３ｃには、それぞれの基地局を識別するために基地局ＩＤが付与されている。
【００１６】
信号発生機１は、ペースメーカー装着者により入力された行き先情報をペースメーカーに影響を与えない無線帯域を使用して信号検知機２に送信する。
【００１７】
図２は、図１に示した信号発生機１の構成を示すブロック図である。信号発生機１は、ユーザー入力インターフェース部１１と、表示部１２と、入力情報記憶部１３と、データ生成部１４と、信号検知機用無線送信部１５とを備えている。
【００１８】
ユーザー入力インターフェース部１１は、キーボードなどで構成され、ペースメーカー装着者がこれから行く予定の駅名や経路などの行き先情報の入力や信号の送信指示などの入力手段として使用される。入力情報記憶部１３は、液晶パネルなどで構成され、ペースメーカー装着者により入力された情報や入力情報記憶部１３に記憶されている情報を表示する。入力情報記憶部１３は、ユーザー入力インターフェース部１１から入力された行き先情報などを記憶する。データ生成部１４は、入力情報記憶部１３に記憶された行き先情報を信号検知機２が認識可能なフォーマットに変換した信号検知機用行き先情報を生成する。信号検知機用無線送信部１５は、ペースメーカーに影響を与えない無線帯域を使用して信号検知機用行き先情報を送信する。
【００１９】
信号検知機２は、信号発生機１から送信された信号検知機用行き先情報基づいて、ペースメーカー装着者が乗車する公共交通機関５内の移動携帯端末６ａや行き先の移動携帯端末６ｂを通信エリア内に有する基地局を検索し、検索した基地局に対してペースメーカー装着者が乗車することを通知する検知情報を送信する。
【００２０】
図３は、図１に示した信号検知機２の構成を示すブロック図である。信号検知機２は、信号発生機用無線受信部２１と、行き先情報解析部２２と、行き先情報記憶部２３と、行き先情報変換部２４と、基地局用無線送信部２５とを備えている。
【００２１】
行き先情報記憶部２３は、公共交通機関５の経路沿いの各基地局に付与された基地局ＩＤと各基地局ＩＤの通信エリアを記憶する。信号発生機用無線受信部２１は、信号発生機１から送信された信号検知機用行き先情報を受信する。行き先情報解析部２２は、信号発生機用無線受信部２１が受信した信号検知機用行き先情報と行き先情報記憶部２３に記憶されている各基地局の通信エリアに基づいて、通知を行うべき基地局を決定する。行き先情報変換部２４は、行き先情報解析部２２が決定した基地局の基地局ＩＤを含む検知情報を生成する。基地局用無線送信部２５は、検知情報を基地局に送信する。
【００２２】
各基地局は、移動携帯端末６ａ，６ｂの一般的な通信を行う基地局の機能に加えて、信号検知機２からの通知を受信した場合、通信エリア内の移動携帯端末６に対して警告表示情報を含む通知情報を送信する機能を備えている。基地局制御装置４は、各基地局の通信を制御する。移動携帯端末６ａ，６ｂは、一般的な移動体携帯端末の機能に加えて、基地局から警告表示情報を受信した場合、警告表示を行う機能を備えている。なお、警告表示を行ってから所定の時間が経過しても電源がオフになっていない場合には、強制的に電源をオフする機能をさらに備えるようにしてもよい。
【００２３】
つぎに、図４および図５のシーケンス図を参照して、この発明における実施の形態１の警告通知システムの動作を説明する。まず、図４のシーケンス図を参照して、信号発生機１から送信されたデータに基づいて、公共交通機関５内の移動携帯端末６ａの利用者に警告する動作について説明する。
【００２４】
移動携帯端末６ａは、電源がオンになると移動元基地局３ｂに対して位置登録情報を送信する（ステップＳ０００１）。移動元基地局３ｂは、移動携帯端末６ａから位置登録情報を受信すると、他の移動携帯端末から移動携帯端末６ａが呼び出された時のために移動携帯端末６ａの位置登録情報およびユーザー情報を記憶する（ステップＳ０００２）。
【００２５】
一方、信号発生機１は、ペースメーカー装着者がユーザー入力インターフェース部１１を用いて入力した情報に基づいて、信号検知機用行き先情報を生成して信号検知機２に送信する（ステップＳ０００３）。具体的には、ペースメーカー装着者は、公共交通機関５に乗車する場合に、ユーザー入力インターフェース部１１を用いて、たとえば、行き先、路線、乗車駅、公共交通機関５の到着時刻または発車時刻、乗車車輛などの行き先情報を、表示部１２の表示を確認しながら入力する。入力情報記憶部１３は、ユーザー入力インターフェース部１１から入力された行き先情報記憶する。データ生成部１４は、入力情報記憶部１３に記憶された行き先情報を信号検知機２が認識可能なフォーマットに変換した信号検知機用行き先情報を生成する。信号検知機用無線送信部１５は、ペースメーカーに影響を与えない無線帯域を使用して信号検知機用行き先情報を信号検知機２に送信する。
【００２６】
信号検知機２は、受信した信号検知機用行き先情報に基づいて、ペースメーカー装着者が乗車する公共交通機関５を通信エリア内に有する基地局およびペースメーカー装着者の乗車駅に到着するまでの公共交通機関５の経路を通信エリアに有する基地局を検索して、検索した基地局の基地局ＩＤと行き先情報を含む検知情報を在圏基地局３ａに送信する（ステップＳ０００４）。具体的には、信号発生機用無線受信部２１は、信号発生機１の信号検知機用無線送信部１５から送信された信号検知機用行き先情報を受信する。行き先情報解析部２２は、信号発生機用無線受信部２１が受信した信号検知機用行き先情報と現在時刻や時刻表などに基づいて、ペースメーカー装着者が乗車する公共交通機関５を限定する。そして、行き先情報記憶部２３に記憶されている基地局の中から公共交通機関５を通信エリア内に有する移動元基地局３ｂを検索する。行き先情報変換部２４は、行き先情報解析部２２が検索した移動元基地局３ｂの基地局ＩＤおよび信号検知機用行き先情報を基地局が認識可能なフォーマットに変換した検知情報を生成する。基地局用無線送信部２５は、検知情報を在圏基地局３ａに送信する。
【００２７】
信号検知機２からの検知情報を受信すると、在圏基地局３ａは、基地局制御装置４を介して検知情報を移動元基地局３ｂに転送する（ステップＳ０００５）。すなわち、在圏基地局３ａは、検知情報に含まれる基地局ＩＤが示す移動元基地局３ｂの通信エリア内の移動携帯端末６ａを呼び出すために、基地局制御装置４を介して一斉報知情報内に検知情報を含めて移動元基地局３ｂに転送する。
【００２８】
移動元基地局３ｂは、一斉報知情報内の基地局ＩＤと自基地局ＩＤとが一致した場合、記憶している位置登録情報およびユーザー情報に基づいて、通信エリア内の移動通信端末６ａを呼び出して警告表示情報を送信する（ステップＳ０００６）。
【００２９】
警告表示情報を受信すると、移動携帯端末６ａは、表示機能によりペースメーカー装着者が乗車してくるので電源をオフにするようメッセージを表示する。そして、呼び出し音やバイブレータ機能により移動携帯端末６ａのユーザーにメッセージを認識させる。（ステップＳ０００７）。
【００３０】
つぎに、図５のシーケンス図を参照して、信号発生機１から送信されたデータに基づいて、ペースメーカー装着者が公共交通機関５に乗車した後の行き先の移動携帯端末６ｂの利用者に警告する動作について説明する。
【００３１】
移動携帯端末６ｂは、電源がオンになると移動先基地局３ｃに対して位置登録情報を送信する（ステップＳ００１１）。移動先基地局３ｃは、移動携帯端末６ｂから位置登録情報を受信すると、他の移動携帯端末から移動携帯端末６ｂが呼び出された時のために移動携帯端末６ｂの位置登録情報およびユーザー情報を記憶する（ステップＳ００１２）。
【００３２】
一方、信号発生機１は、ペースメーカー装着者がユーザー入力インターフェース部１１を用いて入力した情報に基づいて、信号検知機用行き先情報を信号検知機２に送信する（ステップＳ００１３）。
【００３３】
信号発生機１から行き先情報を受信すると、信号検知機２は、受信したデータに基づいて、ペースメーカー装着者が乗車する公共交通機関５の行き先までの経路を通信エリア内に有する基地局を検索して、検索した基地局の基地局ＩＤと行き先情報を含む検知情報を在圏基地局３ａに送信する（ステップＳ００１４）。具体的には、信号発生機用無線受信部２１は、信号発生機１の信号検知機用無線送信部１５から送信された信号検知機用行き先情報を受信する。行き先情報解析部２２は、信号発生機用無線受信部２１が受信した信号検知機用行き先情報と現在時刻や時刻表などに基づいて、ペースメーカー装着者が乗車する公共交通機関５を限定する。そして、限定した公共交通機関５の経路と信号検知機用行き先情報の行き先とに基づいて、行き先情報記憶部２３に記憶されている基地局の中からペースメーカー装着者が乗車してから下車するまでの公共交通機関５の経路を通信エリア内に有する移動先基地局３ｃを検索する。行き先情報変換部２４は、行き先情報解析部２２が検索した移動先基地局３ｃの基地局ＩＤおよび信号検知機用行き先情報を基地局が認識可能なフォーマットに変換した検知情報を生成する。基地局用無線送信部２５は、検知情報を在圏基地局３ａに送信する。
【００３４】
信号検知機２からの検知情報を受信すると、在圏基地局３ａは、基地局制御装置４を介して検知情報を移動先基地局３ｃに転送する（ステップＳ００１５）。すなわち、在圏基地局３ａは、検知情報に含まれる基地局ＩＤが示す移動先基地局３ｃの通信エリア内の移動携帯端末６ｂを呼び出すために、基地局制御装置４を介して一斉報知情報内に検知情報を含めて移動先基地局３ｃに転送する。
【００３５】
移動先基地局３ｃは、一斉報知情報内の基地局ＩＤと自基地局ＩＤとが一致した場合、記憶している位置登録情報およびユーザー情報に基づいて、通信エリア内の移動通信端末６ｂを呼び出して警告表示情報を送信する（ステップＳ００１６）。
【００３６】
警告表示情報を受信すると、移動携帯端末６ｂは、表示機能によりペースメーカー装着者が乗車してくるので電源をオフにするようメッセージを表示する。そして、呼び出し音やバイブレータ機能により移動携帯端末６ａのユーザーにメッセージを認識させる。（ステップＳ００１７）。
【００３７】
このようにこの実施の形態１では、信号発生機１は、医療機器に影響を与えることのない無線帯域を使用して医療機器の装着者の行き先および経路を示す行き先情報を送信し、信号検知機２は、行き先情報に基づいて、ペースメーカー装着者が乗車することを通知すべきエリアを決定して、決定したエリアを通信エリア内に有する移動元基地局３ｂおよび移動先基地局３ｃに対して各基地局を識別するために付与されている基地局ＩＤと行き先情報を含む検知情報を送信し、移動元基地局３ｂおよび移動先基地局３ｃは、検知情報に含まれる基地局ＩＤと自基地局ＩＤとが一致した場合、予め記憶されている通信エリア内のユーザー情報に基づいて、移動携帯端末６ａ，６ｂに警告表示情報を送信し、移動携帯端末６ａ，６ｂは、警告表示情報を受信した場合、メッセージを表示するようにしている。これにより、複雑な調整をする必要なく、ペースメーカー装着者が公共交通機関に乗車する前に、ペースメーカー装着者が乗車してくることおよびペースメーカー装着者が乗車している公共交通機関に乗車することを移動携帯端末の利用者に通知することができる。
【００３８】
また、信号発生機１は、ペースメーカー装着者が行き先情報を入力するためのユーザー入力インターフェース部１１を用いて行き先、路線、乗車駅、公共交通機関の到着時刻または発車時刻、乗車車輛など詳細な行き先情報を入力することができるようにしている。これにより、より広範囲の移動携帯端末に対してメッセージを表示することができる。
【００３９】
さらに、信号発生機１は、入力した行き先情報を記憶する入力情報記憶部１３を備えているため、ペースメーカー装着者が予定を変更した場合にも、その情報を読み出すことで、簡単に行き先情報を変更して、変更した行き先情報を送信することができる。
【００４０】
なお、メッセージを表示した後、所定の時間が経過しても電源がオフになっていない場合には、電源をオフにするようにしているため、ペースメーカー装着者が安全に公共交通機関に乗車することができる。
【００４１】
なお、公共交通機関の車両に基地局を備えるようにしてもよい。これにより、より適切な範囲の移動携帯端末にメッセージを表示することができる。
【００４２】
また、メッセージを表示した後、所定の時間が経過しても電源がオフになっていない場合には、強制的に電源をオフするようにしてもよい。これにより、より確実に、移動体携帯端末の電源をオフすることができ、ペースメーカー装着者の事故を防止することができる。
【００４３】
実施の形態２．
図６および図７を用いて本発明の実施の形態２を説明する。図６は、この発明における実施の形態２の警告通知システムの構成を示す概念図である。この発明における実施の形態２の警告通知システムは、ペースメーカー装着者は信号発生機１の代わりに情報カード８を保持し、信号検知機２の代わりに検知情報を生成する検知機７１および検知情報を基地局に送信する信号送信機７２を有する改札７を備えている。図１に示した実施の形態１と同じ機能を持つ構成部分には同一符号を付し、重複する説明は省略する。
【００４４】
情報カード８は、公共交通機関５を利用する経路とペースメーカー装着者である情報が記憶されている。たとえば、定期や切符にペースメーカー装着者である情報を付加しておいてもよい。
【００４５】
改札７は、一般的な入場処理に加えて、情報カード８にペースメーカー装着者の情報が含まれている場合には、行き先および経路に基づいて、ペースメーカー装着者が乗車する公共交通機関５内の移動携帯端末６ａや行き先の移動携帯端末６ｂを通信エリア内に有する基地局を検索し、検索した基地局に対してペースメーカー装着者が乗車することを通知する検知情報を送信する機能を有する。
【００４６】
図７は、図６に示した検知機７１の構成を示すブロック図である。検知機７１は、行き先情報記憶部２３と、行き先情報解析部２２と、行き先情報変換部２４とを備えている。
【００４７】
行き先情報記憶部２３は、公共交通機関５の経路沿いの各基地局に付与された基地局ＩＤと各基地局ＩＤの通信エリアを記憶する。行き先情報解析部２２は、情報カード８内にペースメーカー装着者の情報が含まれている場合、行き先、経路および行き先情報記憶部２３に記憶されている各基地局の通信エリアに基づいて、通知を行うべき基地局を決定する。行き先情報変換部２４は、行き先情報解析部２２が決定した基地局の基地局ＩＤを含む検知情報を生成する。
【００４８】
つぎに、この発明における実施の形態２の警告通知システムの動作を説明する。ペースメーカー装着車は、情報カード８を改札７に挿入する。検知機７１の行き先情報解析部２２は、情報カード８にペースメーカー装着者の情報が含まれている場合、情報カード８の行き先および経路からペースメーカー装着者が乗車する公共交通機関５を限定する。そして、行き先情報記憶部２３に記憶されている基地局の中から公共交通機関５を通信エリア内に有する移動元基地局３ｂおよびペースメーカー装着者が公共交通機関５を利用する行き先までの経路を通信エリア内に有する移動先基地局３ｃを検索する。行き先情報変換部２４は、行き先情報解析部２２が検索した移動元基地局３ｂと移動先基地局３ｃの基地局ＩＤおよび行き先情報（この場合、行き先および経路）を基地局が認識可能なフォーマットに変換した検知情報を生成する。信号送信機７２は、検知情報を在圏基地局３ａに送信する。
【００４９】
在圏基地局３ａは、基地局制御装置４を介して検知情報を移動元基地局３ｂおよび移動先基地局３ｃに転送する。移動元基地局３ｂおよび移動先基地局３ｃは、一斉報知情報内の基地局ＩＤと自基地局ＩＤとが一致した場合、記憶している位置登録情報およびユーザー情報に基づいて、通信エリア内の移動通信端末６ａ，６ｂをそれぞれ呼び出して警告表示情報を送信する。
【００５０】
警告表示情報を受信すると、移動携帯端末６ａ，６ｂは、表示機能によりペースメーカー装着者が乗車してくるので電源をオフにするようメッセージを表示する。そして、呼び出し音やバイブレータ機能により移動携帯端末６ａのユーザーにメッセージを認識させる。
【００５１】
このようにこの実施の形態２では、改札７の検知機７１が、情報カード８に記憶されている行き先情報に基づいて、行き先情報に基づいて、ペースメーカー装着者が乗車することを通知すべきエリアを決定して、決定したエリアを通信エリア内に有する移動元基地局３ｂおよび移動先基地局３ｃに対して各基地局を識別するために付与されている基地局ＩＤと行き先情報を含む検知情報を送信するようにしている。これにより、ペースメーカー装着者は、情報カード８購入時にペースメーカー装着者であることを報告するだけで、公共交通機関に乗車する前に、ペースメーカー装着者が乗車してくることおよびペースメーカー装着者が乗車している公共交通機関に乗車することを移動携帯端末の利用者に通知することができる。
【００５２】
【発明の効果】
以上説明したように、この発明における警告通知システムによれば、信号発生機は、医療機器の装着者の行き先および経路を示す行き先情報を送信し、信号検知機は、行き先情報に基づいて、ペースメーカー装着者が乗車することを通知すべきエリアを決定して、決定したエリアを通信エリア内に有する１または複数の基地局に対して各基地局を識別するために付与されている基地局ＩＤと行き先情報を含む検知情報を送信し、基地局は、検知情報に含まれる基地局ＩＤと自基地局ＩＤとが一致した場合、予め記憶されている通信エリア内の移動携帯端末のユーザー情報に基づいて、通信エリア内の移動携帯端末に警告表示情報を送信し、移動携帯端末は、警告表示情報を受信した場合、所定の警告処理を行うようにしている。これにより、ペースメーカー装着者が公共交通機関に乗車する前に、ペースメーカー装着者が乗車してくることおよびペースメーカー装着者が乗車している公共交通機関に乗車することを移動携帯端末の利用者に通知することができる。
【図面の簡単な説明】
【図１】この発明における実施の形態１の警告通知システムの構成を示すブロック図である。
【図２】図１に示した信号発生機の構成を示すブロック図である。
【図３】図１に示した信号検知機の構成を示すブロック図である。
【図４】この発明における実施の形態１の警告通知システムの動作を説明するためのシーケンス図である。
【図５】この発明における実施の形態１の警告通知システムの動作を説明するためのシーケンス図である。
【図６】この発明における実施の形態２の警告通知システムの構成を示すブロック図である。
【図７】図６に示した検知機の構成を示すブロック図である。
【符号の説明】
１  信号発生機、２  信号検知機、３ａ  在圏基地局、３ｂ  移動元基地局、３ｃ  移動先基地局、４  基地局制御装置、５  公共交通機関、６ａ，６ｂ  移動携帯端末、７  改札、８  情報カード、７１  検知機、７２  信号送信機。
【図１】
2004312591.tif 000003
【図２】
2004312591.tif 000004
【図３】
2004312591.tif 000005
【図４】
2004312591.tif 000006
【図５】
2004312591.tif 000007
【図６】
2004312591.tif 000008
【図７】
2004312591.tif 000009